(57)【要約】【課題】動画データをプリントする際のユーザが行うべき操作を削減し、より利便性を高めたシステムの実現。【解決手段】動画データを供給する画像供給装置と、画像データを印刷する印刷装置とが通信可能に接続されたプリントシステムであって、前記画像供給装置は、前記動画データを再生する再生手段と、前記動画データの印刷を指示する指示手段と、１枚の記録紙に対して、動画データを構成する複数のフレームから１コマのフレームの画像を抽出して印刷する第１の印刷モードと、前記複数のフレームの画像を配列して印刷する第２の印刷モードとを有し、前記指示手段による印刷指示が、前記再生手段による動画再生前に行われたか、或いは動画再生中に行われたかに応じて、前記第１の印刷モード又は前記第２の印刷モードを設定するモード設定手段と、を備え、前記印刷装置は、前記画像供給装置から取得した画像データと印刷情報とから印刷データを生成し、前記第１の印刷モード又は前記第２の印刷モードに応じた印刷を実行する印刷手段、を有する。【選択図】図７
2009212934.tif 000002
【特許請求の範囲】
【請求項１】
動画データを供給する画像供給装置と、画像データを印刷する印刷装置とが通信可能に接続されたプリントシステムであって、
前記画像供給装置は、
前記動画データを再生する再生手段と、
前記動画データの印刷を指示する指示手段と、
１枚の記録紙に対して、動画データを構成する複数のフレームから１コマのフレームの画像を抽出して印刷する第１の印刷モードと、前記複数のフレームの画像を配列して印刷する第２の印刷モードとを有し、前記指示手段による印刷指示が、前記再生手段による動画再生前に行われたか、或いは動画再生中に行われたかに応じて、前記第１の印刷モード又は前記第２の印刷モードを設定するモード設定手段と、を備え、
前記印刷装置は、
前記画像供給装置から取得した画像データと印刷情報とから印刷データを生成し、前記第１の印刷モード又は前記第２の印刷モードに応じた印刷を実行する印刷手段、を有することを特徴とするプリントシステム。
【請求項２】
前記モード設定手段は、前記再生手段による動画再生中に前記指示手段による印刷指示がなされた場合、前記第１の印刷モードに設定する一方、前記再生手段による動画再生前に前記指示手段による印刷指示がなされた場合、前記第２の印刷モードに設定することを特徴とする請求項１に記載のプリントシステム。
【請求項３】
前記モード設定手段は、前記第１の印刷モードにおいては前記再生手段による動画再生中に前記指示手段による印刷指示がなされたフレームを前記印刷装置に印刷させることを特徴とする請求項１又は２に記載のプリントシステム。
【請求項４】
前記モード設定手段により設定された前記第１の印刷モード又は前記第２の印刷モードをユーザの操作により変更可能な操作手段を更に備えることを特徴とする請求項１乃至３のいずれか１項に記載のプリントシステム。
【請求項５】
前記操作手段は、前記第１の印刷モード又は前記第２の印刷モードにおいて印刷するプリント枚数をユーザの操作により設定可能であることを特徴とする請求項４に記載のプリントシステム。
【請求項６】
前記再生手段による再生前の初期フレームの画像又は前記指示手段により印刷指示がなされた時に再生中のフレームの画像と、設定された印刷モード及び／又は前記プリント枚数とを表示する表示手段を更に備えることを特徴とする請求項４又は５に記載のプリントシステム。
【請求項７】
前記モード設定手段は、前記動画再生中に前記画像供給装置が接続された場合、前記印刷モードの設定を行うことを特徴とする請求項１乃至６のいずれか１項に記載のプリントシステム。
【請求項８】
前記モード設定手段は、前記動画再生中に前記画像供給装置が接続されて一時停止した場合、前記印刷モードの設定を行うことを特徴とする請求項１乃至６のいずれか１項に記載のプリントシステム。
【請求項９】
前記画像供給装置は、前記印刷情報として、印刷モード情報、動画の総フレーム数情報、前記指示手段による印刷指示時のフレーム位置情報を前記印刷装置に送信することを特徴とする請求項１乃至８のいずれか１項に記載のプリントシステム。
【請求項１０】
前記印刷装置は、前記第２の印刷モードの場合、予め設定された１枚の記録紙に印刷可能なコマ数情報と、前記画像供給装置から取得した印刷情報に含まれる動画の総フレーム数とに基づいて印刷データを生成し、印刷を実行することを特徴とする請求項９に記載のプリントシステム。
【請求項１１】
動画データを供給する画像供給装置と、画像データを印刷する印刷装置とが通信可能に接続されたプリントシステムの制御方法であって、
前記画像供給装置は、
前記動画データを再生する再生工程と、
前記動画データの印刷を指示する指示工程と、
１枚の記録紙に対して、動画データを構成する複数のフレームから１コマのフレームの画像を抽出して印刷する第１の印刷モードと、前記複数のフレームの画像を配列して印刷する第２の印刷モードとを有し、前記指示工程による印刷指示が、前記再生工程による動画再生前に行われたか、或いは動画再生中に行われたかに応じて、前記第１の印刷モード又は前記第２の印刷モードを設定するモード設定工程と、を備え、
前記印刷装置は、
前記画像供給装置から取得した画像データと印刷情報とから印刷データを生成し、前記第１の印刷モード又は前記第２の印刷モードに応じた印刷を実行する印刷工程、を有することを特徴とする制御方法。
【請求項１２】
画像データを印刷する印刷装置と通信可能に接続された画像供給装置であって、
動画データを再生する再生手段と、
前記動画データの印刷を指示する指示手段と、
１枚の記録紙に対して、動画データを構成する複数のフレームから１コマのフレームの画像を抽出して印刷する第１の印刷モードと、前記複数のフレームの画像を配列して印刷する第２の印刷モードとを有し、前記指示手段による印刷指示が、前記再生手段による動画再生前に行われたか、或いは動画再生中に行われたかに応じて、前記第１の印刷モード又は前記第２の印刷モードを設定するモード設定手段と、
前記第１の印刷モード又は前記第２の印刷モードに応じた画像データと印刷情報とを前記印刷装置に送信する送信手段と、を有することを特徴とする画像供給装置。
【請求項１３】
画像データを印刷する印刷装置と通信可能に接続された画像供給装置の制御方法であって、
動画データを再生する再生工程と、
前記動画データの印刷を指示する指示工程と、
１枚の記録紙に対して、動画データを構成する複数のフレームから１コマのフレームの画像を抽出して印刷する第１の印刷モードと、前記複数のフレームの画像を配列して印刷する第２の印刷モードとを有し、前記指示工程による印刷指示が、前記再生工程による動画再生前に行われたか、或いは動画再生中に行われたかに応じて、前記第１の印刷モード又は前記第２の印刷モードを設定するモード設定工程と、
前記第１の印刷モード又は前記第２の印刷モードに応じた画像データと印刷情報とを前記印刷装置に送信する送信工程と、を備えることを特徴とする制御方法。
【請求項１４】
請求項１１又は１３に記載された制御方法を画像供給装置及び／又は印刷装置のコンピュータに実行させることを特徴とするプログラム。
【請求項１５】
動画データを取得する取得手段と、
前記取得手段により取得した動画データに基づいた表示を行うための表示手段と、
前記表示手段に表示されている動画データに基づく印刷を指示する指示手段と、
前記動画データに基づいて動画が再生表示されているときに前記指示手段により印刷を指示された場合は、前記動画データに基づいて１つの画像を１枚の記録紙に印刷する第１の印刷モードに設定し、前記動画データの代表画像または１フレーム目の画像が表示されているときに前記指示手段により印刷を指示された場合は、前記動画データに基づいた複数の画像を配列して１枚の記録紙に印刷する第２の印刷モードに設定する制御手段とを有することを特徴とする印刷設定装置。
【請求項１６】
動画データを取得する取得工程と、
前記取得工程で取得した動画データに基づいた表示を行うための表示工程と、
表示されている動画データに基づく印刷を指示する指示工程と、
前記動画データに基づいて動画が再生表示されているときに印刷が指示された場合は、前記動画データに基づいて１つの画像を１枚の記録紙に印刷する第１の印刷モードに設定し、前記動画データの代表画像または１フレーム目の画像が表示されているときに印刷が指示された場合は、前記動画データに基づいた複数の画像を配列して１枚の記録紙に印刷する第２の印刷モードに設定する制御工程とを有することを特徴とする印刷設定方法。
【発明の詳細な説明】
【技術分野】
【０００１】
本発明は、デジタルカメラなどによって再生された動画を簡単な操作で印刷可能とするプリントシステムに関するものである。
【背景技術】
【０００２】
従来から、感熱型の印画紙を用い、主走査方向に配列された複数個の発熱体を選択的に駆動して、印画紙を副走査方向に搬送することでドットライン上に印画を行うライン熱転写方式のプリンタが存在する。
【０００３】
近年、デジタルカメラやデジタルビデオカメラ、スキャナなどの画像を扱う入力機器の進歩に伴い、熱転写方式のプリンタにも注目が集まっている。
【０００４】
インクジェットプリンタでは、インク液滴を飛翔させるか否かという２値の選択しかできないため、小さなインク液滴を用紙に着弾させて誤差拡散等の手法を用いて見かけの解像度と階調性を得ている。
【０００５】
これに対して、熱転写方式のプリンタの場合には、画素ごとの熱エネルギーの制御が容易であるため、１つの画素に対してより多くの階調を再現可能となり、インクジェットプリンタに比べて滑らかで高画質な画像を得ることができる。
【０００６】
また、サーマルヘッドの性能や記録紙材料の性能も向上しているため、仕上がり品位で銀塩写真にも見劣りしない画像プリントが得られ、近年のデジタルカメラの進歩に歩調を合わせるように特に自然画像用のプリンタとして注目されている。
【０００７】
そこで、プリンタとデジタルカメラなどの撮影機器とを直接的に接続又は一体的に構成し、撮影画像をＰＣなどの画像処理機器を介さずにプリントするシステムも登場している。
【０００８】
このようなシステムによれば、撮影機器が保持する画像データを写真のように簡単にプリントすることが可能になり、大変便利である。
【０００９】
例えば、特許文献１には、画像入力装置と画像出力装置とを接続した画像入出力システムが記述されている。画像出力装置は、画像入力装置からの画像信号を受信して出力すると共に、画像入力装置に電力を供給する電源部を有する。また、画像出力装置は、画像出力装置に画像データを送信し、かつ画像出力装置から電力供給を受けるための接続ケーブルにより画像出力装置と接続され、画像出力装置から電力供給を受けることの可否を判定する判定手段と、電源部とを有する。そして、判定手段により画像出力装置から電力供給を受けられると判定された場合は、画像出力装置からの電力を用い、電力供給を受けられないと判定された場合は、電源部からの電力を用いるものである。このシステムによれば、画像出力装置から電力の供給が受けられるのでデジタルカメラなどの画像入力装置の電源の残量を気にすることなくプリント出力できるので、非常に効果的である。
【００１０】
また、特許文献２には、プリント時に消費電力を低減するため、電子ビューファインダを有し、且つ撮影データを記録メディアへ保存する撮影手段と、撮影データを記録用紙へプリント出力するプリンタ手段とを一体化した複合カメラについて記述されている。このカメラには、上記プリンタ手段により記録用紙へ撮影データをプリント出力している間は、上記電子ビューファインダへの電力供給を停止するよう制御する制御手段が設けられている。これにより、プリント中は電子ビューファインダへの電力供給をしないので、節電に役立つというものであり非常に効果的である。
【００１１】
ここで、従来の動画のプリント方法として、記憶手段に保持された動画データからシーンの変わり目ごとに抽出された複数のフレームを連続的に並べてプリントする、所謂ダイジェストプリントがある（例えば、特許文献３）。ダイジェストプリントでは、動画データのシーンの変わり目を検出し、印刷すべきフレームとして指定した後、ダイジェストプリントか指定したフレームのみの１枚プリントかを選択する。これにより、シーンの変わり目ごとのダイジェストプリントと指定したフレームのみの１枚プリントのいずれかを選択的に実行できる。
【００１２】
また、ダイジェストプリントか１枚プリントかを決定する方法が、例えば、特許文献４に記述されている。特許文献４では、画像出力装置に１コマ分の画像が再生されていた場合は、そのフレームのみをプリントし、複数コマ分がマルチ再生されていた場合は、再生された複数コマのダイジェストプリントが可能である。これにより、ユーザが手動で設定を行うことなく、画像を再生した状態でいずれかのプリントモードを決定できる。
【００１３】
更に、ダイジェストプリントか１枚プリントかを決定する他の方法が、例えば、特許文献５に記述されている。特許文献５では、動画データのダイジェストプリントにおけるコマ数を設定し、動画データを指定されたコマ数に分割し、分割されたデータを構成するフレーム数に基づき、ダイジェストプリントか１枚プリントかを決定している。これにより、ユーザは分割するコマ数を指定するだけでいずれかのプリントモードを決定できる。
【特許文献１】特開平１０−２４３３２７号公報
【特許文献２】特開平０９−０６５１８２号公報
【特許文献３】特開２００４−１７９８２３号公報
【特許文献４】特開２００２−０９４９０４号公報
【特許文献５】特開２００２−２４４９３４号公報
【発明の開示】
【発明が解決しようとする課題】
【００１４】
上述した特許文献３では、プリントするフレームを動画データのシーンの変わり目のフレームに指定した上で、ダイジェストプリントか１枚プリントかをユーザ自身がプリントを行うごとに指定する必要がある。また、特許文献５では、分割するコマ数を指定する必要があるため、ユーザ操作において多少の手間が発生する。
【００１５】
本発明は、動画データをプリントする際のユーザが行うべき操作を削減し、より利便性を高めたシステムを実現する。
【課題を解決するための手段】
【００１６】
上記課題を解決するために、本発明のプリントシステムは、動画データを供給する画像供給装置と、画像データを印刷する印刷装置とが通信可能に接続されたプリントシステムであって、前記画像供給装置は、前記動画データを再生する再生手段と、前記動画データの印刷を指示する指示手段と、１枚の記録紙に対して、動画データを構成する複数のフレームから１コマのフレームの画像を抽出して印刷する第１の印刷モードと、前記複数のフレームの画像を配列して印刷する第２の印刷モードとを有し、前記指示手段による印刷指示が、前記再生手段による動画再生前に行われたか、或いは動画再生中に行われたかに応じて、前記第１の印刷モード又は前記第２の印刷モードを設定するモード設定手段と、を備え、前記印刷装置は、前記画像供給装置から取得した画像データと印刷情報とから印刷データを生成し、前記第１の印刷モード又は前記第２の印刷モードに応じた印刷を実行する印刷手段、を有する。
【００１７】
また、本発明のプリントシステムの制御方法は、動画データを供給する画像供給装置と、画像データを印刷する印刷装置とが通信可能に接続されたプリントシステムの制御方法であって、前記画像供給装置は、前記動画データを再生する再生工程と、前記動画データの印刷を指示する指示工程と、１枚の記録紙に対して、動画データを構成する複数のフレームから１コマのフレームの画像を抽出して印刷する第１の印刷モードと、前記複数のフレームの画像を配列して印刷する第２の印刷モードとを有し、前記指示工程による印刷指示が、前記再生工程による動画再生前に行われたか、或いは動画再生中に行われたかに応じて、前記第１の印刷モード又は前記第２の印刷モードを設定するモード設定工程と、を備え、前記印刷装置は、前記画像供給装置から取得した画像データと印刷情報とから印刷データを生成し、前記第１の印刷モード又は前記第２の印刷モードに応じた印刷を実行する印刷工程、を有する。
【００１８】
また、本発明の画像供給装置は、画像データを印刷する印刷装置と通信可能に接続された画像供給装置であって、動画データを再生する再生手段と、前記動画データの印刷を指示する指示手段と、１枚の記録紙に対して、動画データを構成する複数のフレームから１コマのフレームの画像を抽出して印刷する第１の印刷モードと、前記複数のフレームの画像を配列して印刷する第２の印刷モードとを有し、前記指示手段による印刷指示が、前記再生手段による動画再生前に行われたか、或いは動画再生中に行われたかに応じて、前記第１の印刷モード又は前記第２の印刷モードを設定するモード設定手段と、前記第１の印刷モード又は前記第２の印刷モードに応じた画像データと印刷情報とを前記印刷装置に送信する送信手段と、を有する。
【００１９】
また、本発明の画像供給装置の制御方法は、画像データを印刷する印刷装置と通信可能に接続された画像供給装置の制御方法であって、動画データを再生する再生工程と、前記動画データの印刷を指示する指示工程と、１枚の記録紙に対して、動画データを構成する複数のフレームから１コマのフレームの画像を抽出して印刷する第１の印刷モードと、前記複数のフレームの画像を配列して印刷する第２の印刷モードとを有し、前記指示工程による印刷指示が、前記再生工程による動画再生前に行われたか、或いは動画再生中に行われたかに応じて、前記第１の印刷モード又は前記第２の印刷モードを設定するモード設定工程と、前記第１の印刷モード又は前記第２の印刷モードに応じた画像データと印刷情報とを前記印刷装置に送信する送信工程と、を備える。
【００２０】
また、本発明の印刷設定装置は、動画データを取得する取得手段と、前記取得手段により取得した動画データに基づいた表示を行うための表示手段と、前記表示手段に表示されている動画データに基づく印刷を指示する指示手段と、前記動画データに基づいて動画が再生表示されているときに前記指示手段により印刷を指示された場合は、前記動画データに基づいて１つの画像を１枚の記録紙に印刷する第１の印刷モードに設定し、前記動画データの代表画像または１フレーム目の画像が表示されているときに前記指示手段により印刷を指示された場合は、前記動画データに基づいた複数の画像を配列して１枚の記録紙に印刷する第２の印刷モードに設定する制御手段とを有する。
【００２１】
また、本発明の印刷設定方法は、動画データを取得する取得工程と、前記取得工程で取得した動画データに基づいた表示を行うための表示工程と、表示されている動画データに基づく印刷を指示する指示工程と、前記動画データに基づいて動画が再生表示されているときに印刷が指示された場合は、前記動画データに基づいて１つの画像を１枚の記録紙に印刷する第１の印刷モードに設定し、前記動画データの代表画像または１フレーム目の画像が表示されているときに印刷が指示された場合は、前記動画データに基づいた複数の画像を配列して１枚の記録紙に印刷する第２の印刷モードに設定する制御工程とを有する。
【発明の効果】
【００２２】
本発明によれば、動画データをプリントする際のユーザが行うべき操作を削減し、より利便性を高めたシステムを実現することができる。
【発明を実施するための最良の形態】
【００２３】
以下に、添付図面を参照して本発明を実施するための最良の形態について詳細に説明する。
【００２４】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００２５】
［第１の実施形態］
以下、第１の実施形態の印刷装置について説明する。
【００２６】
なお、本実施形態の印刷装置は、昇華型の熱転写記録方式を採用した印刷部を有し、電子的な画像データを記録紙に任意の枚数分プリント可能な、所謂熱転写プリンタを構成している。
【００２７】
図１及び図５は本発明に係る実施形態の熱転写プリンタの主要な構成例１及び構成例２を示す側面図である。
【００２８】
図１及び図５において、先ず、熱転写プリンタの全体構成について説明すると、装置本体１には複数枚の記録用紙Ｐを積層して保持する用紙カセット２が着脱可能に搭載されている。記録用紙Ｐはこの用紙カセット２から給紙ローラ３で１枚ずつ分離して印刷部に給送される。ここで、記録用紙Ｐは分離給送時にバネ１９によって付勢された押上げ板２０によって給紙ローラ３に当接している。
【００２９】
記録用紙Ｐは自身の反りによる給紙不良を防ぐため、反りを矯正できる程度の作用力の押さえバネ１４によって押圧されている。
【００３０】
給紙ローラ３によって搬送された記録用紙Ｐは、搬送ローラ対４で挟持搬送されて印刷部に対して往復可能とされる。搬送ローラ対４はピンチローラ４−２とグリップローラ４−１で構成されている。
【００３１】
印刷部は、記録用紙搬送経路を挟んでプラテンローラ５と、記録情報に応じて発熱するサーマルヘッド６とが対向配置されている。
【００３２】
そして、インクカセット７に収容されたインクシート８がサーマルヘッド６によって記録用紙Ｐに押圧される。インクシート８は、熱溶融性又は熱昇華性のインクを塗布したインク層と印画面を保護するために印画面上にオーバーコートされるオーバーコート層を有する。この押圧とともに、選択的にサーマルヘッド６を加熱することにより、記録用紙Ｐに所定の画像を転写し、或いは保護層がオーバーコートされる。インクシート８は供給側ボビン７−２から巻取側ボビン７−１へ巻き取られる。
【００３３】
インクシート８は、記録用紙Ｐの印画領域を覆ってそのサイズと略等しいサイズでイエロー（Ｙ）、マゼンタ（Ｍ）、シアン（Ｃ）の各インク層とオーバーコート（ＯＰ）層が並べて配設されている。
【００３４】
そして、各インク層ごとに印画領域に熱転写しては、記録用紙Ｐを記録開始位置Ｐ１に戻すことを繰り返しながら記録用紙Ｐ上に、各色インクが順次重ねて転写されていく。
【００３５】
このように、記録用紙Ｐは搬送ローラ対４により各色インク及びオーバーコート層の数だけ往復搬送される。
【００３６】
ここで、各インク層の印画終了後の記録用紙Ｐは装置本体１前方で搬送経路切替シート１６によって搬送経路路が切り替えられ、ガイド部１５に沿って排出方向へ案内される。
【００３７】
２６は排紙トレイ部であり、その上面部は印画されて排紙される記録用紙Ｐのトレイ部分を兼ねており、用紙交換時には開くことができる。
【００３８】
前述の押さえバネ１４は、排紙トレイ部２６の内側の左右２箇所に配設されている。
【００３９】
各インク層の印画終了後に記録用紙Ｐは排出ローラ９（９−１，９−２）へ案内され装置本体１前方に向かって排出され印刷動作が終了する。
【００４０】
また、サーマルヘッド６は、ヘッドアーム２２に一体的に搭載されており、インクカセット７を交換する場合にはインクカセット７の抜き差しに支障ない位置まで退避する。
【００４１】
通常の熱転写プリンタは、ＹＭＣの３色で３回往復して印画を行うため、各色の印刷開始位置を正確に合致させる制御が必要となる。
【００４２】
また、図５に示す搬送ローラ対４で記録用紙Ｐが離れないように挟持し搬送を行う。そして、記録用紙Ｐの搬送方向端部に印刷不可能な余白部が必要となる。このため、記録用紙Ｐには、図３に示すように、印刷開始時に搬送ローラ対４で確実に挟持し印刷できない余白部を印画終了後に容易に手などで切り取り可能にミシン目１２が設けられている。これにより、最終的に、容易に縁なし印画物を得ることができる。
【００４３】
本発明は、上述したミシン目１２を持つ記録用紙Ｐと熱転写プリンタによって実現され、記録用紙Ｐに設けられたミシン目１２の領域にはオーバーコートがなされる。
【００４４】
また、斜線で示す領域１７は印画領域であり、ミシン目１２を含む領域を印画するように制御される。オーバーコートは略印画される領域であって、且つ印画領域よりやや大きい領域となるように制御される。
【００４５】
装置本体１において、グリップローラ４−１は、図示しないステッピングモータの出力軸が減速機構を介して直結され、ステッピングモータの回転制御により正逆自在に駆動される。
【００４６】
記録用紙Ｐは、搬送ローラ対４により確実に挟持され、往復搬送されるので、記録用紙Ｐもまた、ステッピングモータの回転制御により正確に位置制御され、搬送駆動される。
【００４７】
ここで、一例としてサーマルヘッド６による１ライン分の記録ピッチを８５μｍとし、記録用紙Ｐを１ライン分搬送するためのステッピングモータのステップ数を４ステップとする。記録用紙Ｐは、ステッピングモータを４ステップで回転制御することにより、１ライン（即ち、８５μｍ）搬送することができる。
【００４８】
図３に示した印画領域１７は、搬送方向に１４４ｍｍであるとすると、１６９４ライン分の印画が可能であり、記録用紙Ｐをこの分だけ搬送するためには、ステッピングモータを６７７６ステップ分回転させればよい。
【００４９】
また、装置本体１において、給紙ローラ３から給紙ローラ対４を見たときに、給紙ローラ対４の近傍に、先端検知センサ１０が配設されている。このセンサ１０が記録用紙Ｐの先端部を検知した後、搬送ローラ対４で挟持できる範囲で所定ラインの搬送を停止させる。この検知位置が前述の記録開始位置となる。
【００５０】
ここから、先ず最初のイエロー（Ｙ）からサーマルヘッド６を印画データに応じて発熱駆動し、各色インクによる印画を行う。
【００５１】
１色の印画が終わると、この位置から記録用紙Ｐを排出ローラ９の方向に戻して搬送し、再び所定のライン数だけ戻し送り、この動作をＹＭＣの各色及びオーバーコート層について４回繰し返し行う。
【００５２】
ここでは、先端検知センサ１０と、プラテンローラ５とサーマルヘッド６により記録用紙Ｐを押圧する位置との間の距離は、装置内部品配置を考慮し、記録用紙Ｐ上の距離で２０ｍｍに設定されているが、これに限られるものではない。
【００５３】
［印刷動作フロー］
図３に示す印画物は、以下に述べる手順で各色インク及びオーバーコート層を記録用紙Ｐ上に転写することで得られる。
【００５４】
図２は、本実施形態の熱転写プリンタによる印刷動作を示すフローチャートである。
【００５５】
Ｓ１：ユーザによる熱転写プリンタのプリント開始操作若しくはデジタルカメラ等の画像供給装置からのプリント指示を受けて印刷動作を開始する。
【００５６】
Ｓ２：装置本体１内部の処理回路１８は印刷指示を実行した機器との通信を開始し、印刷指示を実行した機器との間でプリントに必要な諸条件の確認や必要であれば画像データから印画データへの画像処理を行う。
【００５７】
図４に示すデジタルカメラＤＣは、入力機器として印刷する画像データをプリンタの機種によって最適な色やシャープネス処理を行う。その後、デジタルカメラＤＣの画素数と装置本体１から出力するプリントサイズに合わせた画素へ補間処理を行ってから装置本体１へ画像データを送出する。
【００５８】
Ｓ３：印画準備ができたら、給紙ローラ３に連結されたモータを駆動して記録用紙Ｐの給紙を開始する。
【００５９】
Ｓ４：記録用紙先端検知後、ステッピングモータを所定ステップ分回転させ、印画を開始する。本例では、印画開始位置は記録用紙先端部を基準として１２．４６５ｍｍとする。
【００６０】
Ｓ５：引き続き、ステッピングモータを４ステップ分回転しながら、サーマルヘッド６を発熱駆動し１ライン分の印画を行う。全部で６７７６ステップ分（１６９４ライン分）回転させ、印画を終了する。この時の印画終了位置は、記録用紙先端部を基準として１５６．４５５ｍｍとする。
【００６１】
Ｓ６：次に、停止に至るまでの減速のため、ステッピングモータを１０ライン分（４０ステップ分）程回転させ、停止させる。
【００６２】
Ｓ７：この状態から、ステッピングモータを逆転駆動し、記録用紙Ｐを印画時と逆方向に搬送し、所定のステップ数（６７７６ステップ−減速分）だけ戻して、更に減速のため、所定のライン数の１０ライン分（４０ステップ分）程回転させ停止させる。
【００６３】
Ｓ８：上記動作をＹＭＣの３色分、３回程繰返し、所望の画像を記録用紙Ｐに転写記録する。
【００６４】
Ｓ９：その後、印画面保護のためのオーバーコート層を転写する。
【００６５】
Ｓ１０：次に、ステッピングモータを駆動してそのまま排出ローラ９へ導き、排出ローラ９の駆動で用紙Ｐを排出して一連の動作を終了させる。
【００６６】
また、上記において、記録用紙Ｐの給紙時に、最初に先端検知センサ１０で検知した記録用紙の先端検知信号に基づきステッピングモータのステップ数が管理されている。
【００６７】
また、記録用紙Ｐの給紙時における位置関係に基づき、ステッピングモータの回転駆動のステップ数が全印画時において管理されている。
【００６８】
なお、ＹＭＣ各色、オーバーコート層の転写記録時において先端検知センサにより記録用紙Ｐの先端位置を検出し、その検知信号を基準としてステッピングモータの回転駆動のステップ数を管理することにより記録位置を管理する構成としても良い。
【００６９】
印画途中の記録用紙Ｐは装置本体１の後方に設けられたスリット２９を通して外部へ露出し、後方に保持された脱着可能な電池３０の下方の記録用紙後端部２８まで搬送される。
【００７０】
また、オーバーコート層の転写は、サーマルヘッド６の発熱駆動のＯＮ／ＯＦＦのみで行うように説明した。しかしながら、オーバーコートの転写開始時から徐々に発熱量を増加させ、また、オーバーコートの転写終了時に徐々に発熱量を減少させるような制御を行っても良い。
【００７１】
なお、このような発熱を伴う動作によって装置が加熱して所定の性能を引き出せない場合があってはならない。特にヘッド近傍もしくは取付部品であるヘッドアーム２２が蓄熱すると印画のための過熱制御が所望の通り行えないことがある。
【００７２】
そこで、ファン２１が設けられ、ヘッド６近傍が所定の温度を上回った場合にはファン２１を作動させて空冷を行っている。
【００７３】
次に、図２のＳ２においてプリント指示を実行する画像供給装置とプリンタとの通信について詳述する。
【００７４】
一例として、プリント指示を実行する画像供給装置がデジタルカメラＤＣとするが、デジタルカメラＤＣだけでなく、プリンタや他の画像供給装置でもあっても良い。また、プリンタで動画データを再生する構成としても良い。
【００７５】
図４はデジタルカメラＤＣとプリンタとを通信可能に接続したプリントシステムの構成を示す図である。
【００７６】
デジタルカメラＤＣは撮影後に、動画データをメモリに保持する。メモリとしては、コンパクトフラッシュ（登録商標）カードやスマートメディア（登録商標）といったカメラに対して着脱可能なメモリカード等が便利である。ここで、デジタルカメラＤＣを再生モードに設定して任意の動画が再生可能である。
【００７７】
メモリから動画を読み出して取得し、取得した画像データに基づいて、画像を液晶表示部３７に再生表示することにより、撮影した動画を随時確認できるので、ユーザは撮影後に動画を任意に再生することが可能である。
【００７８】
デジタルカメラＤＣは、ケーブル３９や無線手段によってプリンタＰＲと通信可能に接続される。そして、プリント実行ボタン３１ａによってデジタルカメラＤＣからプリンタＰＲへ必要な情報が送信される。プリンタＰＲは、デジタルカメラＤＣから取得した必要な情報に基づき所望の動画を印刷する。
【００７９】
上記必要な情報としては、デジタルカメラＤＣとのネゴシエーションの情報や、印刷すべき画像データや画像データに付加された情報等である。
【００８０】
［ブロック構成］
図６は、本実施形態のデジタルカメラとプリンタの電気的な構成を示すブロック図である。
【００８１】
図６において、動画データを撮影し保有するデジタルカメラＤＣは、ＣＰＵ３２、内部記憶装置３３、外部記憶装置３４、画像処理部３６、液晶表示部３７、画像転送のためのインターフェース３５を備える。画像処理部３６は、ダイジェストプリント用の動画データのフレームを抽出する動画フレーム抽出機能と、抽出した各フレームを１枚の記録用紙に時系列に配列し、記録用紙１枚分の印刷データに変換することによりコマレイアウトを生成する機能とを有する。
【００８２】
更に、デジタルカメラＤＣは、ＣＰＵ３２、内部記憶装置３３、外部記憶装置３４、画像処理部３６、液晶表示部３７及びインターフェース３５を接続するシステム・バス３８を備えている。
【００８３】
プリンタＰＲは、画像印刷部４１、画像処理部４２、画像転送のためのインターフェース４３、ＣＰＵ４４、内部記憶装置４５、外部記憶装置４６を備える。そして、画像印刷部４１、画像処理部４２、画像転送のためのインターフェース４３、ＣＰＵ４４、内部記憶装置４５及び外部記憶装置４６を接続するシステム・バス４７を備えている。また、プリンタＰＲは１枚の記録用紙に印刷可能（ダイジェストプリント）なコマ数情報を記憶している。
【００８４】
デジタルカメラＤＣのインターフェース３５はケーブル３９を介してプリンタＰＲのインターフェース４３に接続される。
【００８５】
図１７は動画データのフレームを例示しており、各フレーム右上の番号はフレーム番号を示している。
【００８６】
図７は、第１の実施形態のデジタルカメラとプリンタによる動画印刷時の動作を示すフローチャートである。
【００８７】
図７において、ユーザがデジタルカメラＤＣのユーザインターフェースにより上下左右ボタン３１ｂを操作して所望の動画を選択しプリント実行ボタン３１ａを押すと、デジタルカメラＤＣは動画印刷時のデフォルト設定を決定する（Ｓ２０１）。
【００８８】
ここで、動画再生前、即ち動画データの初期フレーム（１フレーム目）又は動画データに設定されている代表画像が液晶表示部３７に表示されていたとする（図１８又は図１９）。この状態においてプリント実行ボタン３１ａが押下されると、第２の印刷モードとしてのダイジェストプリントモードにデフォルト設定する（Ｓ２０３、図２１）。
【００８９】
一方、動画データの再生中（一時停止中も含む）又は再生後、即ち初期フレーム（１フレーム目又は代表画像）以外のフレームが液晶表示部３７に表示されていたとする（図２０）。この状態においてプリント実行ボタン３１ａが押下されると、第１の印刷モードとしての１コマプリントモードという印刷モードにデフォルト設定する（Ｓ２０４、図２２）。
【００９０】
次に、上記Ｓ２０３、Ｓ２０４で設定されたプリントモードでプリント確認ダイアログを液晶表示部３７に表示する（Ｓ２０５）。プリント確認ダイアログは、図２１乃至図２６に示すようなＧＵＩ（Graphic User Interface）画面として表示される。プリント確認ダイアログには、動画再生開始前の初期フレーム又はプリント実行ボタン３１ａが押下された時に再生中のフレームの画像３７ｃと、現在設定中のプリントモード３７ｄ及び／又はプリント枚数（又はプリント部数）３７ｅが同一画面に表示される。
【００９１】
また、プリント確認ダイアログは、ユーザの上下左右ボタン３１ｂの操作によりダイジェストプリントモード又は１コマプリントモードへの任意のモード設定の変更が可能である（Ｓ２０５〜Ｓ２０７、図２１と図２３、図２２と図２４）。
【００９２】
そして、プリント確認ダイアログ上のプリントボタン３７ａを押下すると、デジタルカメラＤＣからプリンタＰＲに印刷情報が送信される。印刷情報には、プリントモード情報（印刷モード情報）、動画総フレーム数情報、プリント実行ボタン３１ａ押下時（印刷指示時）のフレーム位置情報が含まれる。
【００９３】
プリント確認ダイアログ上のキャンセルボタン３７ｂを押下すると、プリント確認ダイアログを終了し、動画再生画面に戻る（図２０）。
【００９４】
一方、ダイジェストプリントモードの場合、プリンタＰＲでは予め設定された１枚の記録用紙にダイジェストプリント可能なコマ数情報に基づき動画の総フレーム数からプリントするフレームを決定し、プリントを開始する（Ｓ２０８、Ｓ２０９）。
【００９５】
［第２の実施形態］
図８は、本発明に係る第２の実施形態のデジタルカメラとプリンタによる動画印刷時の動作を示すフローチャートである。
【００９６】
図８において、Ｓ３０１〜Ｓ３０４は、図７のＳ２０１〜Ｓ２０４と同様の処理を行う。
【００９７】
本実施形態のプリント確認ダイアログは、ユーザの上下左右ボタン３１ｂの操作によりプリント枚数が設定可能及びプリントモードが変更可能となっている（Ｓ３０５〜Ｓ３０９、図２７、図２８、図３１、図３２）。そして、１コマプリントモードの場合、プリント確認ダイアログ上のプリントボタン３７ａを押下すると、デジタルカメラＤＣからプリンタＰＲに印刷情報が送信され（Ｓ３１０）、プリントを開始する（Ｓ３１１、図２９、図３０）。ここで、印刷情報には、プリントモード情報、プリント枚数、動画総フレーム数情報、プリント実行ボタン３１ａ押下時（印刷指示時）のフレーム位置情報が含まれる。
【００９８】
一方、ダイジェストプリントモードの場合、プリンタＰＲでは予め設定された１枚の記録用紙にダイジェストプリント可能なコマ数情報に基づき動画の総フレーム数からプリントするフレームを決定し、プリントを開始する（Ｓ３１０、Ｓ３１１、図２９）。
【００９９】
［第３の実施形態］
図９は、本発明に係る第３の実施形態のデジタルカメラとプリンタによる動画印刷時の動作を示すフローチャートである。
【０１００】
図９において、Ｓ４０１〜Ｓ４０４は、図７のＳ２０１〜Ｓ２０４と同様の処理を行う。
【０１０１】
ダイジェストプリントモードの場合、プリンタＰＲでは予め設定された１枚の記録用紙にダイジェストプリント可能なコマ数情報を利用して、動画の総フレーム数からプリントするフレームを決定し、プリントを開始する（Ｓ４０５、図２９、図３０）。
【０１０２】
一方、１コマプリントモードに設定されている場合、デジタルカメラＤＣからプリンタＰＲに印刷情報が送信され、プリントを開始する（Ｓ４０５）。
【０１０３】
［第４の実施形態］
図１０は、本発明に係る第４の実施形態のデジタルカメラとプリンタによる動画印刷時の動作を示すフローチャートである。
【０１０４】
図１０において、Ｓ５０１〜Ｓ５０５は、図７のＳ２０１〜Ｓ２０５と同様の処理を行う。
【０１０５】
本実施形態のプリント確認ダイアログでは、ユーザの上下左右ボタン３１ｂの操作によりプリント枚数が設定可能となっている（Ｓ５０６、Ｓ５０７、図３１、図３２）。そして、プリント確認ダイアログ上のプリントボタン３７ａを押下すると、デジタルカメラＤＣからプリンタＰＲに印刷情報が送信され（Ｓ５０８）、プリントを開始する（Ｓ５０９）。
【０１０６】
一方、ダイジェストプリントが設定されている場合、プリンタＰＲでは予め設定された１枚の記録用紙にダイジェストプリント可能なコマ数情報に基づき動画の総フレーム数からプリントするフレームを決定し、プリントを開始する（Ｓ５０８、Ｓ５０９）。
【０１０７】
［第５の実施形態］
図１１は、本発明に係る第５の実施形態のデジタルカメラとプリンタによる動画印刷時の動作を示すフローチャートである。
【０１０８】
図１１において、Ｓ６０１〜Ｓ６０４は、図７のＳ２０１〜Ｓ２０４と同様の処理を行う。
【０１０９】
本実施形態では、１コマプリントモードにデフォルト設定されたプリント確認ダイアログにおいて、プリントモードが変更可能となっている（Ｓ６０５〜Ｓ６０７、図３４）。
【０１１０】
そして、プリント確認ダイアログ上のプリントボタン３７ａの押下により、デジタルカメラＤＣからプリンタＰＲに印刷情報が送信され（Ｓ６０８）、プリントを開始する（Ｓ６０９）。
【０１１１】
一方、ダイジェストプリントモードの場合、プリンタＰＲでは予め設定された１枚の記録用紙にダイジェストプリント可能なコマ数情報に基づき動画の総フレーム数からプリントするフレームを決定し、プリントを開始する（Ｓ６０３、Ｓ６０９、図３３）。
【０１１２】
［第６の実施形態］
図１２は、本発明に係る第６の実施形態のデジタルカメラとプリンタによる動画印刷時の動作を示すフローチャートである。
【０１１３】
図１２において、Ｓ７０１〜Ｓ７０４は、図７のＳ２０１〜Ｓ２０４と同様の処理を行う。
【０１１４】
本実施形態では、１コマプリントモードにデフォルト設定されたプリント確認ダイアログにおいて、プリント枚数が設定可能となっている（Ｓ７０５〜Ｓ７０７）。
【０１１５】
そして、プリント確認ダイアログ上のプリントボタン３７ａの押下により、デジタルカメラＤＣからプリンタＰＲに印刷情報が送信され、プリントが開始される（Ｓ７０８、Ｓ７０９）。
【０１１６】
一方、ダイジェストプリントモードの場合、プリンタＰＲでは予め設定された１枚の記録用紙にダイジェストプリント可能なコマ数情報に基づき動画の総フレーム数からプリントするフレームを決定し、プリントを開始する（Ｓ７０３、Ｓ７０９）。
【０１１７】
［第７の実施形態］
図１３は、本発明に係る第７の実施形態のデジタルカメラとプリンタによる動画印刷時の動作を示すフローチャートである。
【０１１８】
図１３において、Ｓ８０１〜Ｓ８０４は、図７のＳ２０１〜Ｓ２０４と同様の処理を行う。
【０１１９】
本実施形態では、１コマプリントモードにデフォルト設定されたプリント確認ダイアログにおいて、プリント枚数が設定可能及びプリントモードが変更可能となっている（Ｓ８０５〜Ｓ８０９）。
【０１２０】
そして、プリント確認ダイアログ上のプリントボタン３７ａの押下により、デジタルカメラＤＣからプリンタＰＲに印刷情報が送信され、プリントが開始される（Ｓ８１０、Ｓ８１１）。
【０１２１】
一方、ダイジェストプリントモードの場合、プリンタＰＲでは予め設定された１枚の記録用紙にダイジェストプリント可能なコマ数情報に基づき動画の総フレーム数からプリントするフレームを決定し、プリントを開始する（Ｓ８０３、Ｓ８１１）。
【０１２２】
［第８の実施形態］
図１４は、本発明に係る第８の実施形態のデジタルカメラとプリンタによる動画印刷時の動作を示すフローチャートである。
【０１２３】
図１４において、Ｓ９０１〜Ｓ９０４は、図７のＳ２０１〜Ｓ２０４と同様の処理を行う。
【０１２４】
本実施形態では、ダイジェストプリントモードにデフォルト設定されたプリント確認ダイアログにおいて、プリントモードが変更可能となっている（Ｓ９０５〜Ｓ９０７、図３５）。
【０１２５】
そして、プリント確認ダイアログ上のプリントボタン３７ａの押下により、デジタルカメラＤＣからプリンタＰＲに印刷情報が送信される（Ｓ９０８）。プリンタＰＲでは予め設定された１枚の記録用紙にダイジェストプリント可能なコマ数情報に基づき動画の総フレーム数から印刷するフレームを決定し、プリントを開始する（Ｓ９０９）。
【０１２６】
一方、動画再生中にプリント実行ボタン３１ａを押下されたならば、デフォルトの設定を１コマプリントとし、プリントを開始する（Ｓ９０４、Ｓ９０９、図３６）。
【０１２７】
［第９の実施形態］
図１５は、本発明に係る第９の実施形態のデジタルカメラとプリンタによる動画印刷時の動作を示すフローチャートである。
【０１２８】
図１５において、Ｓ１００１〜Ｓ１００４は、図７のＳ２０１〜Ｓ２０４と同様の処理を行う。
【０１２９】
本実施形態では、ダイジェストプリントモードにデフォルト設定されたプリント確認ダイアログにおいて、プリント枚数が設定可能となっている（Ｓ１００５〜Ｓ１００７）。
【０１３０】
そして、プリント確認ダイアログ上のプリントボタン３７ａの押下により、デジタルカメラＤＣからプリンタＰＲに印刷情報が送信される（Ｓ１００８）。プリンタＰＲでは予め設定された１枚の記録用紙にダイジェストプリント可能なコマ数情報に基づき動画の総フレーム数から印刷するフレームを決定し、プリントを開始する（Ｓ１００９）。
【０１３１】
一方、動画再生中にプリント実行ボタン３１ａを押下されたならば、デフォルトの設定を１コマプリントとし、プリントを開始する（Ｓ１００４、Ｓ１００９）。
【０１３２】
［第１０の実施形態］
図１６は、本発明に係る第１０の実施形態のデジタルカメラとプリンタによる動画印刷時の動作を示すフローチャートである。
【０１３３】
図１６において、Ｓ１１０１〜Ｓ１１０４は、図７のＳ２０１〜Ｓ２０４と同様の処理を行う。
【０１３４】
本実施形態では、ダイジェストプリントモードにデフォルト設定されたプリント確認ダイアログにおいて、プリント枚数が設定可能及びプリントモードが変更可能となっている（Ｓ１１０５〜Ｓ１１０９）。
【０１３５】
そして、プリント確認ダイアログ上のプリントボタン３７ａの押下により、デジタルカメラＤＣからプリンタＰＲに印刷情報が送信される（Ｓ１１１０）。プリンタＰＲでは予め設定された１枚の記録用紙にダイジェストプリント可能なコマ数情報に基づき動画の総フレーム数から印刷するフレームを決定し、プリントを開始する（Ｓ１１１１）。
【０１３６】
一方、動画再生中にプリント実行ボタン３１ａを押下されたならば、デフォルトの設定を１コマプリントとし、プリントを開始する（Ｓ１１０４、Ｓ１１１１）。
【０１３７】
［第１１の実施形態］
デジタルカメラＤＣでの動画再生時にデジタルカメラＤＣとプリンタＰＲが接続された場合に、上述した第１〜第１０の実施形態のいずれかの動作を実行するように構成しても良い。
【０１３８】
プリンタＰＲと接続する機器は、デジタルカメラＤＣに限らず、デジタルビデオカメラや動画を記憶する記憶装置等であっても良い。
【０１３９】
また、上述した第１〜第１０の実施形態では、プリンタに接続されたカメラにおいて印刷の設定を行い、プリンタにおいて設定に基づいた印刷を行った。しかし、第１〜第１０の実施形態においてデジタルカメラＤＣ側で行った印刷設定を同様にプリンタＰＲで実行可能にし、印刷設定に基づいて印刷を実行するようにしても良い。この場合、プリンタはデジタルカメラから取得した動画若しくはプリンタに装着されたメモリカードから動画を選択するようにすると良い。
【０１４０】
［第１２の実施形態］
デジタルカメラＤＣで再生中の動画の一時停止のタイミングで、デジタルカメラＤＣとプリンタＰＲが接続された場合に、上述した第１〜第１０の実施形態のいずれかの動作を実行するように構成しても良い。
【０１４１】
プリンタＰＲと接続する機器は、デジタルカメラＤＣに限らず、デジタルビデオカメラや記憶装置等であっても良い。
【０１４２】
尚、本発明の目的は、前述した実施形態の機能を実現するソフトウェアのプログラムコードを格納した記憶媒体（又は記録媒体）をカメラに供給ことによっても達成されることは言うまでもない。この場合、カメラのコンピュータ（又はＣＰＵやＭＰＵ）が記憶媒体からプログラムコードを読み出して実行することによって達成される。
【０１４３】
本発明を上記記憶媒体に適用する場合、その記憶媒体には、先に説明した各フローチャートの処理を実行する制御プログラムや各種テーブルが格納されることになる。これらのプログラムコードは、例えば、アップデート可能なファームウェアとしても提供可能である。
【０１４４】
上記各実施形態によれば、動画データをプリントする際、ユーザによりプリント指示された動画から抽出されたフレーム位置によってデフォルトのプリントモードを設定することができる。これにより、動画再生前はダイジェストプリントモードに設定し、動画データ再生開始後は再生中のフレームをプリントする可能性が高いことから１コマプリントモードに設定することで、ユーザの設定の手間を軽減することができる。
【０１４５】
また、プリント確認ダイアログ上で任意に、デフォルトで設定されたプリントモードの変更やプリント枚数の設定が可能であるので、ユーザによる利便性が向上する。
【０１４６】
また、デフォルトでプリントモードが設定されているため、プリント実行ボタンを押すだけで、すぐに設定された枚数のプリントを開始することができる。
【図面の簡単な説明】
【０１４７】
【図１】本発明に係る第１の実施形態の熱転写プリンタの構成例１を示す側面図である。
【図２】第１の実施形態の熱転写プリンタによる印刷動作を示すフローチャートである。
【図３】本実施形態の記録用紙Ｐの構成を示す図である。
【図４】（ａ）はデジタルカメラとプリンタとを接続したときの構成、（ｂ）はデジタルカメラの背面構成を示す図である。
【図５】本発明に係る第１の実施形態の熱転写プリンタの構成例２を示す側面図である。
【図６】本実施形態のデジタルカメラとプリンタの電気的な構成を示すブロック図である。
【図７】第１の実施形態のデジタルカメラとプリンタによる動画印刷時の動作を示すフローチャートである。
【図８】第２の実施形態のデジタルカメラとプリンタによる動画印刷時の動作を示すフローチャートである。
【図９】第３の実施形態のデジタルカメラとプリンタによる動画印刷時の動作を示すフローチャートである。
【図１０】第４の実施形態のデジタルカメラとプリンタによる動画印刷時の動作を示すフローチャートである。
【図１１】第５の実施形態のデジタルカメラとプリンタによる動画印刷時の動作を示すフローチャートである。
【図１２】第６の実施形態のデジタルカメラとプリンタによる動画印刷時の動作を示すフローチャートである。
【図１３】第７の実施形態のデジタルカメラとプリンタによる動画印刷時の動作を示すフローチャートである。
【図１４】第８の実施形態のデジタルカメラとプリンタによる動画印刷時の動作を示すフローチャートである。
【図１５】第９の実施形態のデジタルカメラとプリンタによる動画印刷時の動作を示すフローチャートである。
【図１６】第１０の実施形態のデジタルカメラとプリンタによる動画印刷時の動作を示すフローチャートである。
【図１７】動画データのフレームを例示する図である。
【図１８】動画再生前のマルチ表示画面を例示する図である。
【図１９】動画再生前の１コマ表示画面を例示する図である。
【図２０】動画再生中の画面を例示する図である。
【図２１】第１の実施形態の初期フレーム再生時にダイジェストプリントモードが設定されている場合のプリント確認ダイアログを例示する図である。
【図２２】第１の実施形態の初期フレーム再生時に１コマプリントモードが設定されている場合のプリント確認ダイアログを例示する図である。
【図２３】第１の実施形態の初期フレーム以外再生時に１コマプリントモードが設定されている場合のプリント確認ダイアログを例示する図である。
【図２４】第１の実施形態の初期フレーム以外再生時にダイジェストプリントモードが設定されている場合のプリント確認ダイアログを例示する図である。
【図２５】第２の実施形態の初期フレーム再生時にダイジェストプリントモードが設定されている場合のプリント枚数が設定可能なプリント確認ダイアログを例示する図である。
【図２６】第２の実施形態の初期フレーム再生時に１コマプリントモードが設定されている場合のプリント枚数が設定可能なプリント確認ダイアログを例示する図である。
【図２７】第２の実施形態の初期フレーム以外再生時に１コマプリントモードが設定されている場合のプリント枚数が設定可能なプリント確認ダイアログを例示する図である。
【図２８】第２の実施形態の初期フレーム以外再生時にダイジェストプリントモードが設定されている場合のプリント枚数が設定可能なプリント確認ダイアログを例示する図である。
【図２９】第３の実施形態の初期フレーム再生時のダイジェストプリントモードによる印画物を例示する図である。
【図３０】第３の実施形態の初期フレーム以外再生時の１コマプリントモードによる印画物を例示する図である。
【図３１】第４の実施形態の初期フレーム再生時にダイジェストプリントモードが設定されている場合のプリント枚数が設定可能なプリント確認ダイアログを例示する図である。
【図３２】第４の実施形態の初期フレーム以外再生時に１コマプリントモードが設定されている場合のプリント枚数が設定可能なプリント確認ダイアログを例示する図である。
【図３３】第５の実施形態の初期フレーム再生時のダイジェストプリントモードによる印画物を例示する図である。
【図３４】第５の実施形態の初期フレーム以外再生時の１コマプリントモードによる印画物を例示する図である。
【図３５】第８の実施形態の初期フレーム再生時にダイジェストプリントモードが設定されている場合のプリント確認ダイアログを例示する図である。
【図３６】第８の実施形態の初期フレーム以外再生時に１コマプリントモードが設定されている場合の印刷結果を例示する図である。
【符号の説明】
【０１４８】
１  装置本体
２  用紙カセット
３  給紙ローラ
４  搬送ローラ対
４−１  グリップローラ
４−２  ピンチローラ
５  プラテンローラ
６  サーマルヘッド
７  インクカセット
７−１  巻き取り側ボビン
７−２  供給側ボビン
８  インクシート
９  排出ローラ
９−１  排出ローラ１
９−２  排出ローラ２
１０  記録用紙先端検知センサ
１２  ミシン目
１３  余白部
１４  押さえバネ
１５  ガイド部
１６  搬送経路切替シート
１７  印画領域
１８  処理回路
１９  バネ
２０  押上げ板
２１  ファン
２２  ヘッドアーム
２６  排紙トレイ部
２８  記録用紙後端部
２９  スリット
３０  電池
３２  ＣＰＵ
３３  内部記憶装置
３４  外部記憶装置
３５  インターフェース
３６  画像処理部
３７  液晶表示部
３８  システム・バス
３９  ケーブル
ＰＲ  プリンタ
４１  画像印刷部
４２  画像処理部
４３  インターフェース
４４  ＣＰＵ
４５  内部記憶装置
４６  外部記憶装置
４７  システム・バス
ＤＣ  デジタルカメラ
ＰＲ  プリンタ
Ｐ  記録用紙
Ｐ１  記録開始位置
【図１】
2009212934.tif 000003
【図２】
2009212934.tif 000004
【図３】
2009212934.tif 000005
【図４】
2009212934.tif 000006
【図５】
2009212934.tif 000007
【図６】
2009212934.tif 000008
【図７】
2009212934.tif 000009
【図８】
2009212934.tif 000010
【図９】
2009212934.tif 000011
【図１０】
2009212934.tif 000012
【図１１】
2009212934.tif 000013
【図１２】
2009212934.tif 000014
【図１３】
2009212934.tif 000015
【図１４】
2009212934.tif 000016
【図１５】
2009212934.tif 000017
【図１６】
2009212934.tif 000018
【図１７】
2009212934.tif 000019
【図１８】
2009212934.tif 000020
【図１９】
2009212934.tif 000021
【図２０】
2009212934.tif 000022
【図２１】
2009212934.tif 000023
【図２２】
2009212934.tif 000024
【図２３】
2009212934.tif 000025
【図２４】
2009212934.tif 000026
【図２５】
2009212934.tif 000027
【図２６】
2009212934.tif 000028
【図２７】
2009212934.tif 000029
【図２８】
2009212934.tif 000030
【図２９】
2009212934.tif 000031
【図３０】
2009212934.tif 000032
【図３１】
2009212934.tif 000033
【図３２】
2009212934.tif 000034
【図３３】
2009212934.tif 000035
【図３４】
2009212934.tif 000036
【図３５】
2009212934.tif 000037
【図３６】
2009212934.tif 000038